【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
患者の体内の標的組織部位に固形薬物を送達するための装置であって、
第１の開口部を有する第１のチャンバと、
前記第１のチャンバを実質的に取り囲み、第２の開口部を有する第２のチャンバと、
前記第１のチャンバ内に配設されたキャリッジであって、複数の薬剤要素を保持するように構成され、前記薬剤要素が、少なくとも１つの薬物を含む、キャリッジと、
前記キャリッジから薬剤要素を受け取り、前記要素を前記第１の開口部を介して前記第１のチャンバの外部に移送し、そして前記第１のチャンバ内に戻るように構成された運搬部材を含む機構と、
管腔、近位端部、および遠位端部を有する細長い部材であって、前記管腔が、前記薬剤要素を受け入れられるサイズであり、前記細長い部材の少なくとも一部が前記第２のチャンバ内に位置決めされる、細長い部材と、
前記要素を前記機構から係合解除し、前記要素を前記細長い部材の前記管腔を通って押すプッシャープレートと、を備える、装置。
【請求項２】
前記薬剤要素はペレットを含む、請求項１に記載の装置。
【請求項３】
前記機構が、前記運搬部材上に配設されたスライド可能な部材をさらに含み、前記スライド可能な部材が、前記要素を所定の位置に保持するために前記運搬部材上をスライドするように構成されている、請求項１に記載の装置。
【請求項４】
前記運搬部材または前記スライド可能な部材の少なくとも一方に結合された駆動源をさらに備え、前記駆動源が、前記運搬部材または前記スライド可能な部材の少なくとも一方を前進させるように構成されている、請求項３に記載の装置。
【請求項５】
前記駆動源が、電気機械駆動源、リニア誘導電動機、ソレノイド、または機械駆動源、形状記憶ワイヤ、ばね、または膨張性ガスを含む、請求項４に記載の装置。
【請求項６】
前記細長い部材が、前記薬剤要素を受け入れられるサイズの管腔を有するカテーテルである、請求項１に記載の装置。
【請求項７】
前記第２のチャンバまたは前記細長い部材に結合されたエネルギー送達装置をさらに備え、前記エネルギー送達装置が、エネルギーを前記薬剤要素に送達して体組織液による前記薬剤要素の崩壊速度を増すように構成されている、請求項１に記載の装置。
【請求項８】
前記エネルギー送達装置が、熱エネルギー送達装置、電磁エネルギー送達装置、高周波エネルギー送達装置、音響エネルギー送達装置、または光エネルギー送達装置を含む、請求項７に記載の装置。
【請求項９】
患者の体内に送達するための固形薬剤であって、疾患または状態の処置用の少なくとも１つの薬物を含み、前記薬剤が、（ｉ）前記薬剤に実質的な分解または有害作用をもたらすことなく長期間に亘って前記体内に移植された容器内に貯蔵され、（ｉｉ）送達部位に送達され、かつ（ｉｉｉ）前記送達部位で組織液に溶解して標的組織部位で治療効果をもたらして前記疾患または状態を処置するような形状および材料特性を有する、固形薬剤。
【請求項１０】
前記薬剤が、請求項１に記載の装置によって送達されるように構成されている、請求項９に記載の固形薬剤。
【請求項１１】
前記薬剤がペレットを含む、請求項９または１０に記載の固形薬剤。
【請求項１２】
前記薬剤が、前記送達部位での前記薬剤の崩壊速度を増す特徴を備える、請求項９に記載の固形薬剤。
【請求項１３】
前記薬剤が、送達された前記薬剤の分解状態を決定するための指示手段を含む、請求項９に記載の固形薬剤。
【請求項１４】
前記指示手段が、光学指示手段を含む、請求項１３に記載の固形薬剤。
【請求項１５】
前記指示手段が、パターン、交差パターン、または光反射コーティングを含む、請求項１４に記載の固形薬剤。
【請求項１６】
前記薬剤が、前記送達部位での前記薬剤の崩壊速度が前記薬剤へのエネルギーの適用によって増すように構成されている、請求項９に記載の固形薬剤。
【請求項１７】
前記エネルギーが、力学的なエネルギー、熱エネルギー、電磁エネルギー、高周波エネルギー、音響エネルギー、または光エネルギーを含む、請求項１６に記載の固形薬剤。
【請求項１８】
適用された前記エネルギーが、体組織液の前記固形薬剤への進入を促進する構造的欠陥を前記薬剤に生成する、請求項１６に記載の固形薬剤。
【請求項１９】
前記薬物が、神経性発作またはてんかんの処置用の薬物を含む、請求項９または１０に記載の固形薬剤。
【請求項２０】
前記薬物がフロセミドを含む、請求項１９に記載の固形薬剤。
【請求項２１】
前記薬物が、糖尿病の処置用の薬物を含む、請求項９または１０に記載の固形薬剤。
【請求項２２】
前記薬物がインスリンを含む、請求項２１に記載の固形薬剤。
【請求項２３】
前記薬物が、冠血管虚血または心臓発作の処置用の薬物を含む、請求項９または１０に記載の固形薬剤。
【請求項２４】
前記薬物が、不整脈の処置用の薬物を含む、請求項９または１０に記載の固形薬剤。
【請求項２５】
前記薬物が、脳卒中または脳虚血の処置用の薬物を含む、請求項９または１０に記載の固形薬剤。
【請求項２６】
前記薬剤が、その表面が静電荷を獲得して保持できるように構成された電気絶縁コーティングを含む、請求項９に記載の固形薬剤。
【手続補正２】
【補正対象書類名】明細書
【補正対象項目名】００１５
【補正方法】変更
【補正の内容】
【００１５】
本発明は、例えば以下の項目を提供する。
（項目１）
薬物を含む固形薬剤を送達するための方法であって、
疾患または状態を処置するための薬物を含む固形薬剤に実質的な分解または有害作用をもたらすことなく長期間に亘って患者の体内の容器内に前記固形薬剤を貯蔵するステップと、
前記疾患または前記状態の処置のために標的組織部位に治療効果をもたらすように前記固形薬剤を前記容器から前記体内の送達部位に送達するステップと、を含む、方法。
（項目２）
前記有害作用は、前記薬物の効力または治療効果の低下を含む、項目１に記載の方法。
（項目３）
前記薬剤がペレット形態である、項目１に記載の方法。
（項目４）
送達された前記固形薬剤を前記送達部位で溶解して、前記標的組織部位で治療有効量の前記薬物を得るステップをさらに含む、項目１に記載の方法。
（項目５）
前記送達部位における前記固形薬剤の崩壊速度が、前記固形薬剤の内部または表面の崩壊促進特徴の使用によって促進される、項目４に記載の方法。
（項目６）
送達された前記固形薬剤の分解状態を決定するステップと、
決定した前記分解状態に応じて別の用量の固形薬剤を送達するステップと、をさらに含む、項目４に記載の方法。
（項目７）
前記分解状態が、光学センサ、音響センサ、またはインピーダンスセンサの１つを用いて決定される、項目６に記載の方法。
（項目８）
前記分解状態が、送達された前記固形薬剤からの信号を送信および受信することによって決定される、項目６に記載の方法。
（項目９）
前記信号が、光信号、音響信号、または電気信号の１つである、項目８に記載の方法。
（項目１０）
前記分解状態が、別の用量の薬剤を送達するべきか否かの決定で別のパラメータと組み合わせられる、項目６に記載の方法。
（項目１１）
前記他のパラメータが、前記薬物のｉｎ  ｖｉｖｏでの濃度である、項目１０に記載の方法。
（項目１２）
前記ｉｎ  ｖｉｖｏでの濃度が、前記送達部位、標的部位、血中、または脳髄液中の濃度である、項目１１に記載の方法。
（項目１３）
前記他のパラメータが、投薬回数、生理学的パラメータ、または医学的状態もしくは医学的状態の発症を示す生理学的パラメータである、項目１０に記載の方法。
（項目１４）
前記薬剤が、薬学的な賦形剤を含む、項目１に記載の方法。
（項目１５）
前記賦形剤が、前記送達部位における前記固形薬剤の崩壊速度を制御するように構成された崩壊剤を含む、項目１４に記載の方法。
（項目１６）
前記賦形剤が、前記送達部位における前記固形薬剤の崩壊速度を加速するように構成された超崩壊剤を含む、項目１４に記載の方法。
（項目１７）
前記固形薬剤にエネルギーを送達して前記送達部位における前記固形薬剤の崩壊速度を増すステップをさらに含む、項目１に記載の方法。
（項目１８）
前記エネルギーが、熱エネルギー、電磁エネルギー、高周波エネルギー、音響エネルギー、または光エネルギーを含む、項目１７に記載の方法。
（項目１９）
前記送達されたエネルギーが、体組織液の前記固形薬剤への進入を促進する構造的欠陥を前記固形薬剤に生成する、項目１７に記載の方法。
（項目２０）
前記エネルギーが、前記固形薬剤が前記送達部位に送達された後で送達される、項目１７に記載の方法。
（項目２１）
前記標的組織部位が、前記送達部位とは異なる位置である、項目１に記載の方法。
（項目２２）
前記標的組織部位が、前記送達部位に並置されていない、項目２１に記載の方法。
（項目２３）
前記送達組織部位が、脳、脊髄、骨格筋、心臓、肺、肝臓、子宮、卵巣、睾丸、動脈、静脈、前立腺、血液、皮膚、甲状腺、骨髄、または腎臓である、項目１に記載の方法。
（項目２４）
前記長期間が、最大約１年である、項目１に記載の方法。
（項目２５）
前記長期間が、最大約５年である、項目１に記載の方法。
（項目２６）
前記固形薬剤を前記送達部位に送達するステップが、前記固形薬剤を前記容器から外側チャンバに移送し、次いで前記外側チャンバの開口部に通すステップを含む、項目１に記載の方法。
（項目２７）
前記開口部が、細長い部材の管腔を含み、前記固形薬剤を前記送達部位へ送達するステップが、前記固形薬剤を前記細長い部材の管腔を介して前記送達部位に送達するステップを含む、項目２６に記載の方法。
（項目２８）
前記細長い部材が、前記固形薬剤を前記容器の位置とは異なる組織部位に送達するのに十分な長さを有する、項目２７に記載の方法。
（項目２９）
前記固形薬剤が、駆動源を用いて前記容器から前記外側チャンバに送達される、項目２６に記載の方法。
（項目３０）
前記駆動源は、線形インダクタンスモータ（ｌｉｎｅａｒ  ｉｎｄｕｃｔａｎｃｅ  ｍｏｔｏｒ）、圧電材料、ソレノイド、形状記憶ワイヤ、流体駆動源、または熱駆動源を含む、項目２９に記載の方法。
（項目３１）
前記固形薬剤が、一定間隔で送達される、項目１に記載の方法。
（項目３２）
前記間隔が、日単位の間隔、週単位の間隔、または月単位の間隔である、項目３１に記載の方法。
（項目３３）
前記固形薬剤が、感知された生物学的パラメータに応答して送達される、項目１に記載の方法。
（項目３４）
前記感知された生物学的パラメータが、医学的状態、神経性発作、またはてんかん性発作の前兆となる、項目３３に記載の方法。
（項目３５）
前記容器の内部が、前記長期間に亘って前記体内の環境から実質的に隔離され続ける、項目１に記載の方法。
（項目３６）
前記容器を前記体内の前記送達部位に移植するステップをさらに含む、項目１に記載の方法。
（項目３７）
前記容器の少なくとも一部が、適合性であり、前記方法が、
前記容器を前記送達部位の形状に適合させるステップをさらに含む、項目３６に記載の方法。
（項目３８）
前記容器が、低侵襲性の方法によって移植される、項目３６に記載の方法。
（項目３９）
前記薬物がフロセミドを含む、項目１に記載の方法。
（項目４０）
前記薬物がインスリンを含む、項目１に記載の方法。
（項目４１）
前記薬物が血管拡張剤を含む、項目１に記載の方法。
（項目４２）
てんかん性発作の処置用の薬物を含む固形薬剤を送達するための方法であって、
固形薬剤に実質的な分解または有害作用をもたらすことなく長期間に亘って患者の頭蓋内に移植された容器内に前記固形薬剤を貯蔵するステップであって、前記薬剤が、てんかん性発作の処置用の薬物を含む、ステップと、
前記固形薬剤を前記容器から脳組織内の送達部位に送達して、てんかん性発作を防止する、またはてんかん性発作の重症度または持続時間を低減するステップと、を含む、方法。
（項目４３）
前記薬剤がペレット形態である、項目４２に記載の方法。
（項目４４）
前記薬物はフロセミドを含む、項目４２に記載の方法。
（項目４５）
前記脳の脳脊髄液（ＣＳＦ）内に送達された前記固形薬剤を迅速に溶解して、前記ＣＳＦ中の前記薬物を選択された濃度にして、前記てんかん性発作を防止する、または前記てんかん性発作の重症度または持続時間を低減するステップをさらに含む、項目４２に記載の方法。
（項目４６）
前記固形薬剤が、てんかん性発作の前兆となる、感知された生物学的パラメータに応答して送達される、項目４２に記載の方法。
（項目４７）
患者の体内の標的組織部位に固形薬物を送達するための装置であって、
第１の開口部を有する第１のチャンバと、
前記第１のチャンバを実質的に取り囲み、第２の開口部を有する第２のチャンバと、
前記第１のチャンバ内に配設されたキャリッジであって、複数の薬剤要素を保持するように構成され、前記薬剤要素が、少なくとも１つの薬物を含む、キャリッジと、
前記キャリッジから薬剤要素を受け取り、前記要素を前記第１の開口部を介して前記第１のチャンバの外部に移送し、そして前記第１のチャンバ内に戻るように構成された運搬部材を含む機構と、
管腔、近位端部、および遠位端部を有する細長い部材であって、前記管腔が、前記薬剤要素を受け入れられるサイズであり、前記細長い部材の少なくとも一部が前記第２のチャンバ内に位置決めされる、細長い部材と、
前記要素を前記機構から係合解除し、前記要素を前記細長い部材の前記管腔を通って押すプッシャープレートと、を備える、装置。
（項目４８）
前記薬剤要素はペレットを含む、項目４７に記載の装置。
（項目４９）
前記装置の少なくとも一部が、生体適合性コーティングを備える、項目４７に記載の装置。
（項目５０）
前記少なくとも一部が、前記第２のチャンバの表面を含む、項目４９に記載の装置。
（項目５１）
前記生体適合性コーティングが、シリコーン、ポリウレタン、またはフルオロポリマーを含む、項目４９に記載の装置。
（項目５２）
前記管腔の前記遠位端部が、前記第２のチャンバの前記開口部を通って延在する、項目４７に記載の装置。
（項目５３）
前記運搬部材が、前記薬剤要素を保持するためのスロットを備えている、項目４７に記載の装置。
（項目５４）
スロットが、前記薬剤要素が排出される前記キャリッジの開口部に実質的に整合する、項目５３に記載の装置。
（項目５５）
前記プッシャープレートが、前進可能なシャフトを備えている、項目４７に記載の装置。
（項目５６）
前記キャリッジがばね荷重されている、項目４７に記載の装置。
（項目５７）
前記プッシャープレートに結合された駆動源をさらに備える、項目４７に記載の装置。
（項目５８）
前記駆動源が、電気駆動源、リニア誘導電動機、またはソレノイドを含む、項目５７に記載の装置。
（項目５９）
前記駆動源が、形状記憶ワイヤまたは熱作動性形状記憶ワイヤを含む、項目５７に記載の装置。
（項目６０）
前記機構が、前記運搬部材上に配設されたスライド可能な部材をさらに含み、前記スライド可能な部材が、前記要素を所定の位置に保持するために前記運搬部材上をスライドするように構成されている、項目４７に記載の装置。
（項目６１）
前記運搬部材と前記スライド可能な部材との間に位置決めされた少なくとも１つの軸受をさらに備える、項目６０に記載の装置。
（項目６２）
前記スライド可能な部材が、前記運搬部材に対して同軸上に配設されている、項目６０に記載の装置。
（項目６３）
前記スライド可能な部材または前記運搬部材の少なくとも一方が、電磁力によって駆動される、項目６０に記載の装置。
（項目６４）
前記運搬部材または前記スライド可能な部材の少なくとも一方に結合された駆動源をさらに備え、前記駆動源が、前記運搬部材または前記スライド可能な部材の少なくとも一方を前進させるように構成されている、項目６０に記載の装置。
（項目６５）
前記駆動源が、電気機械駆動源、リニア誘導電動機、ソレノイド、または形状記憶ワイヤを含む、項目６４に記載の装置。
（項目６６）
前記駆動源が、形状記憶ワイヤまたは熱作動性形状記憶ワイヤを含む、項目６４に記載の装置。
（項目６７）
前記駆動源が、機械駆動源またはばねを含む、項目６４に記載の装置。
（項目６８）
前記駆動源が膨張性ガスを含む、項目６４に記載の装置。
（項目６９）
前記細長い部材が、前記薬剤要素を受け入れられるサイズの管腔を有するカテーテルである、項目４７に記載の装置。
（項目７０）
前記カテーテルが、非外傷性遠位先端部を備えている、項目６９に記載の装置。
（項目７１）
前記第２のチャンバまたは前記細長い部材に結合されたエネルギー送達装置をさらに備え、前記エネルギー送達装置が、エネルギーを前記薬剤要素に送達して体組織液による前記薬剤要素の崩壊速度を増すように構成されている、項目４７に記載の装置。
（項目７２）
前記エネルギーが、熱エネルギー、電磁エネルギー、高周波エネルギー、音響エネルギー、または光エネルギーを含む、項目７１に記載の装置。
（項目７３）
前記エネルギー送達装置が、前記細長い部材の前記遠位端部に近接して位置決めされている、項目７１に記載の装置。
（項目７４）
前記機構が、前記第１の開口部のシールを形成して前記第１のチャンバを前記体内の環境から隔離している、項目４７に記載の装置。
（項目７５）
前記シールが、前記機構の動作中に実質的に維持される、項目７４に記載の装置。
（項目７６）
標的組織部位に固形薬物を送達するための装置であって、
第１の開口部を有する第１のチャンバと、
前記第１のチャンバを実質的に取り囲み、第２の開口部を有する第２のチャンバと、
前記第１のチャンバ内に配設されたキャリッジであって、複数の固形薬剤要素を保持するように構成され、前記薬剤要素が、少なくとも１つの薬物を含む、キャリッジと、
薬剤要素を前記第１のチャンバから前記第２のチャンバに移送するように構成された機構と、
管腔、近位端部、および遠位端部を有する細長い部材であって、前記管腔が、前記薬剤要素を受け入れられるサイズであり、前記細長い部材の少なくとも一部が前記第２のチャンバ内に位置決めされる、細長い部材と、
前記薬剤要素を前記機構から係合解除し、前記薬剤要素を前記細長い部材の前記管腔を通って前進させる手段と、を備える、装置。
（項目７７）
前記機構が、前記キャリッジから前記薬剤要素を受け取り、前記薬剤要素を前記第１の開口部を介して前記第１のチャンバの外部に移送し、次いで前記第１のチャンバ内に戻るように構成されている、項目７６に記載の装置。
（項目７８）
前記機構が、前記薬剤要素を受け取って移送するための運搬部材を備えている、項目７７に記載の装置。
（項目７９）
前記固形薬剤要素がペレットを含む、項目７６に記載の装置。
（項目８０）
前記細長い部材の管腔の前記遠位端部が、前記第２のチャンバの前記開口部を通って延在する、項目７６に記載の装置。
（項目８１）
前記第２のチャンバが、長期間の移植後に、体組織による前記第２のチャンバの表面の変形を許容する十分に適合性の適合性材料を含む、項目７６に記載の装置。
（項目８２）
前記薬剤要素に係合して前進させる前記手段が、機械的に前進可能なプレートを含む、項目７６に記載の装置。
（項目８３）
前記薬剤要素に係合して前進させる前記手段が、極性可逆電極（ｒｅｖｅｒｓａｂｌｅ  ｐｏｌａｒｉｔｙ  ｅｌｅｃｔｒｏｄｅ）を含む、項目７６に記載の装置。
（項目８４）
前記極性可逆電極が、プレートまたは前記細長い部材の少なくとも一部の少なくとも一方を構成する、項目８３に記載の装置。
（項目８５）
前記薬剤要素に係合して前進させる前記手段が、項目７６に記載の細長い部材を含み、前記細長い部材が、電圧が印加されると蠕動収縮するようにさらに構成されている、項目７６に記載の装置。
（項目８６）
前記薬剤要素に係合して前進させる前記手段が、項目７６に記載の細長い部材を含み、前記細長い部材が、熱が加えられると蠕動収縮するようにさらに構成されている、項目７６に記載の装置。
（項目８７）
外側チャンバが、長期間の移植後に、体組織による前記外側チャンバの表面の変形を許容する十分に適合性の適合性材料を含む、項目７６に記載の装置。
（項目８８）
患者の体内に送達するための固形薬剤であって、疾患または状態の処置用の少なくとも１つの薬物を含み、前記薬剤が、（ｉ）前記薬剤に実質的な分解または有害作用をもたらすことなく長期間に亘って前記体内に移植された容器内に貯蔵され、（ｉｉ）送達部位に送達され、かつ（ｉｉｉ）前記送達部位で組織液に溶解して標的組織部位で治療効果をもたらして前記疾患または状態を処置するような形状および材料特性を有する、固形薬剤。
（項目８９）
前記薬剤が、項目４７に記載の装置によって送達されるように構成されている、項目８８に記載の固形薬剤。
（項目９０）
前記薬剤が、項目７６に記載の装置によって送達されるように構成されている、項目８８に記載の固形薬剤。
（項目９１）
前記薬剤がペレットを含む、項目８８に記載の固形薬剤。
（項目９２）
前記薬剤が複数の薬物を含む、項目８８に記載の固形薬剤。
（項目９３）
前記複数の薬物が、複数の状態の処置用である、項目９２に記載の固形薬剤。
（項目９４）
前記複数の薬物が、ＨＩＶ  ＡＩＤＳの処置用である、項目９２に記載の固形薬剤。
（項目９５）
前記薬剤が、崩壊剤または超崩壊剤の少なくとも一方を含む、項目８８に記載の固形薬剤。
（項目９６）
前記薬剤が、前記送達部位での前記薬剤の崩壊速度を増す特徴を備える、項目８８に記載の固形薬剤。
（項目９７）
前記薬剤が、送達された前記薬剤の分解状態を決定するための指示手段を含む、項目８８に記載の固形薬剤。
（項目９８）
前記指示手段が、光学指示手段を含む、項目９７に記載の固形薬剤。
（項目９９）
前記指示手段が、パターンまたは交差パターンを含む、項目９８に記載の固形薬剤。
（項目１００）
前記指示手段が、光反射コーティングを含む、項目９８に記載の固形薬剤。
（項目１０１）
前記指示手段が、音響反射コーティングを含む、項目９７に記載の固形薬剤。
（項目１０２）
前記薬剤が、前記送達部位での前記薬剤の崩壊速度が前記薬剤へのエネルギーの適用によって増すように構成されている、項目８８に記載の固形薬剤。
（項目１０３）
前記エネルギーが、力学的なエネルギー、熱エネルギー、電磁エネルギー、高周波エネルギー、音響エネルギー、または光エネルギーを含む、項目１０２に記載の固形薬剤。
（項目１０４）
適用された前記エネルギーが、体組織液の前記固形薬剤への進入を促進する構造的欠陥を前記薬剤に生成する、項目１０２に記載の固形薬剤。
（項目１０５）
前記薬物が、神経性発作またはてんかんの処置用の薬物を含む、項目８８に記載の固形薬剤。
（項目１０６）
前記薬物がフロセミドを含む、項目１０５に記載の固形薬剤。
（項目１０７）
前記薬物が、糖尿病の処置用の薬物を含む、項目８８に記載の固形薬剤。
（項目１０８）
前記薬物がインスリンを含む、項目１０７に記載の固形薬剤。
（項目１０９）
前記薬物が、高血圧の処置用の薬物を含む、項目８８に記載の固形薬剤。
（項目１１０）
前記薬物が、冠血管虚血または心臓発作の処置用の薬物を含む、項目８８に記載の固形薬剤。
（項目１１１）
前記薬物が、不整脈の処置用の薬物を含む、項目８８に記載の固形薬剤。
（項目１１２）
前記薬物が、高コレステロールの処置用の薬物を含む、項目８８に記載の固形薬剤。
（項目１１３）
前記薬物が、脳卒中または脳虚血の処置用の薬物を含む、項目８８に記載の固形薬剤。
（項目１１４）
前記薬物が抗生物質を含む、項目８８に記載の固形薬剤。
（項目１１５）
前記薬物が、抗ウイルス化合物、ＨＩＶ  ａｉｄｓの処置用の抗ウイルス化合物、またはプロテアーゼ阻害剤を含む、項目８８に記載の固形薬剤。
（項目１１６）
前記薬物が、ワクチンまたは抗体を含む、項目８８に記載の固形薬剤。
（項目１１７）
前記薬剤が、その表面が静電荷を獲得して保持できるように構成された電気絶縁コーティングを含む、項目８８に記載の固形薬剤。
（項目１１８）
前記薬剤が、帯電コーティングを含む、項目８８に記載の固形薬剤。
（項目１１９）
前記コーティングが、イオン種、イオン性硫酸基、またはイオン性リン酸基の１つを含む、項目１１８に記載の固形薬剤。
本発明のこれらおよび他の実施形態および態様のさらなる詳細を、添付の図面を参照して以下に詳細に説明する。
【手続補正３】
【補正対象書類名】明細書
【補正対象項目名】００１６
【補正方法】変更
【補正の内容】
【００１６】
【図１】図１は、固形薬物送達装置の実施形態を示す側面図である。
【図２ａ】図２ａは、薬剤ペレットの実施形態を例示する側面図である。
【図２ｂ】図２ｂは、体組織液による薬剤ペレットの分解および溶解を促進するための特徴を有する薬剤ペレットの実施形態を例示する側面図である。
【図２ｃ】図２ｃは、体組織液による薬剤ペレットの分解／崩壊の測定用のコーティングおよび光学指示手段を有する薬剤ペレットの実施形態を例示する側面図である。
【図３ａ】図３ａは、補給用の薬剤ペレットを保持するキャリッジの実施形態を示す側面図である。
【図３ｂ】図３ｂは、補給用の薬剤ペレットを保持する積層されたキャリッジの実施形態を示す斜視図である。
【図４】図４は、装置の異なるチャンバ間で薬剤ペレットを移送するための機構の実施形態を示す側面図である。
【図５ａ】図５ａは、往復運動をする移送機構の実施形態の動作を示す側面図である。
【図５ｂ】図５ｂは、往復運動をする移送機構の実施形態の動作を示す側面図である。
【図５ｃ】図５ｃは、往復運動をする移送機構の実施形態の動作を示す側面図である。
【図５ｄ】図５ｄは、往復運動をする移送機構の実施形態の動作を示す側面図である。
【図５ｅ】図５ｅは、往復運動をする移送機構の実施形態の動作を示す側面図である。
【図５ｆ】図５ｆは、往復運動をする移送機構の実施形態の動作を示す側面図である。
【図５ｇ】図５ｇは、往復運動をする移送機構の実施形態の動作を示す側面図である。
【図６ａ】図６ａは、移送機構の形状記憶金属駆動源の動作を示す側面図である。
【図６ｂ】図６ｂは、移送機構の形状記憶金属駆動源の動作を示す側面図である。
【図７】図７ａ〜ｅは、薬剤ペレットを装置の内部から送達部位へ移送するための機構の動作を例示する側面図である。図７ａは、移送機構の加熱ガス／ピストン駆動源の動作を示す側面図である。図７ｂは、移送機構の加熱ガス／ピストン駆動源の動作を示す側面図である。
【図８ａ】図８ａは、ペレットを標的組織部位に送達するために使用されるカテーテルの実施形態を例示する側面図である。
【図８ｂ】図８ｂは、薬剤ペレットの崩壊状態を測定するためのセンサを有するカテーテルの実施形態の使用を例示する側面図である。
【図９ａ】図９ａは、体内の異なる部位に配置される装置の実施形態を示す図であり、図９ａは、脳組織の標的部位へ薬剤を送達するための装置全体の脳内への配置を示し、図９ｂは、送達カテーテルが脳内に延びている頭皮への装置の配置を示し、図９ｃは、２つの異なる送達部位に配置された２つの送達カテーテルを有する装置の実施形態を示している。図９ｄは、２つの送達カテーテルを備え、第１の送達カテーテルが膝関節の近傍または内部に配置され、第２の送達カテーテルが異なる部位に配置された装置の実施形態を示している。
【図９ｂ】図９ｂは、体内の異なる部位に配置される装置の実施形態を示す図であり、図９ａは、脳組織の標的部位へ薬剤を送達するための装置全体の脳内への配置を示し、図９ｂは、送達カテーテルが脳内に延びている頭皮への装置の配置を示し、図９ｃは、２つの異なる送達部位に配置された２つの送達カテーテルを有する装置の実施形態を示している。図９ｄは、２つの送達カテーテルを備え、第１の送達カテーテルが膝関節の近傍または内部に配置され、第２の送達カテーテルが異なる部位に配置された装置の実施形態を示している。
【図９ｃ】図９ｃは、体内の異なる部位に配置される装置の実施形態を示す図であり、図９ａは、脳組織の標的部位へ薬剤を送達するための装置全体の脳内への配置を示し、図９ｂは、送達カテーテルが脳内に延びている頭皮への装置の配置を示し、図９ｃは、２つの異なる送達部位に配置された２つの送達カテーテルを有する装置の実施形態を示している。図９ｄは、２つの送達カテーテルを備え、第１の送達カテーテルが膝関節の近傍または内部に配置され、第２の送達カテーテルが異なる部位に配置された装置の実施形態を示している。
【図９ｄ】図９ｄは、体内の異なる部位に配置される装置の実施形態を示す図であり、図９ａは、脳組織の標的部位へ薬剤を送達するための装置全体の脳内への配置を示し、図９ｂは、送達カテーテルが脳内に延びている頭皮への装置の配置を示し、図９ｃは、２つの異なる送達部位に配置された２つの送達カテーテルを有する装置の実施形態を示している。図９ｄは、２つの送達カテーテルを備え、第１の送達カテーテルが膝関節の近傍または内部に配置され、第２の送達カテーテルが異なる部位に配置された装置の実施形態を示している。
【図１０ａ】図１０ａは、薬剤ペレットに係合して前進させるプッシャープレートの実施形態の動作を例示する側面図である。
【図１０ｂ】図１０ｂは、薬剤ペレットに係合して前進させるプッシャープレートの実施形態の動作を例示する側面図である。
【図１０ｃ】図１０ｃは、薬剤ペレットに係合して前進させるプッシャープレートの実施形態の動作を例示する側面図である。
【図１０ｄ】図１０ｄは、薬剤ペレットに係合して前進させるプッシャープレートの実施形態の動作を例示する側面図である。
【図１０ｅ】図１０ｅは、薬剤ペレットに係合して前進させる帯電プッシャープレートの実施形態の動作を例示する側面図である。
【図１１】図１１は、固形薬物送達装置の１つ以上の実施形態に使用される制御装置の実施形態を例示する簡易ブロック図である。
【図１２ａ】図１２ａは、薬物の溶解および薬物の脳内の標的部位への送達のための薬剤ペレットの脳室内の配置を示す図である。
【図１２ｂ】図１２ｂは、送達部位から離れた標的組織部位への薬物の輸送のための薬剤／薬物ペレットの送達部位における配置を示す図である。
【図１３】図１３ａおよび図１３ｂは、ペレットの溶解を促進するようにペレットの構造を分解するための力またはエネルギーの送達を例示するペレットの側面図である。図１３ａは、力／エネルギーの送達前のペレットを示し、図１３ｂは、力／エネルギーの送達後のペレットを示している。
【図１４】図１４は、ペレットの溶解を促進するための機械的な力の薬剤ペレットへの送達を例示する側面図である。
【図１５】図１５は、ペレットの溶解を促進するための、送達前の薬剤ペレットへのエネルギーの送達を例示する側面図である。
【図１６】図１６は、ペレットの溶解を促進するための、ペレット送達部位へのエネルギーの送達を例示する側面図である。
【手続補正４】
【補正対象書類名】図面
【補正対象項目名】全図
【補正方法】変更
【補正の内容】
【図１】
2012520731.tif 000001
【図２ａ】
2012520731.tif 000002
【図２ｂ】
2012520731.tif 000003
【図２ｃ】
2012520731.tif 000004
【図３ａ】
2012520731.tif 000005
【図３ｂ】
2012520731.tif 000006
【図４】
2012520731.tif 000007
【図５ａ】
2012520731.tif 000008
【図５ｂ】
2012520731.tif 000009
【図５ｃ】
2012520731.tif 000010
【図５ｄ】
2012520731.tif 000011
【図５ｅ】
2012520731.tif 000012
【図５ｆ】
2012520731.tif 000013
【図５ｇ】
2012520731.tif 000014
【図６ａ】
2012520731.tif 000015
【図６ｂ】
2012520731.tif 000016
【図７】
2012520731.tif 000017
【図８ａ】
2012520731.tif 000018
【図８ｂ】
2012520731.tif 000019
【図９ａ】
2012520731.tif 000020
【図９ｂ】
2012520731.tif 000021
【図９ｃ】
2012520731.tif 000022
【図９ｄ】
2012520731.tif 000023
【図１０ａ】
2012520731.tif 000024
【図１０ｂ】
2012520731.tif 000025
【図１０ｃ】
2012520731.tif 000026
【図１０ｄ】
2012520731.tif 000027
【図１０ｅ】
2012520731.tif 000028
【図１１】
2012520731.tif 000029
【図１２ａ】
2012520731.tif 000030
【図１２ｂ】
2012520731.tif 000031
【図１３】
2012520731.tif 000032
【図１４】
2012520731.tif 000033
【図１５】
2012520731.tif 000034
【図１６】
2012520731.tif 000035